(57)【要約】【課題】液体とともに医療用チューブの内腔内に気泡が流入した際、その液体中の気泡を確実に除去することができる医療用チューブ、チューブおよび医療装置を提供すること。【解決手段】医療用チューブ１は、内部に液体Ｑが通過する液体流路１１を有するものである。この医療用チューブ１は、液体流路１１を画成する壁部の一部を構成し、気体は通過するが液体Ｑは通過しない膜部材２と、液体流路１１内の膜部材２が位置する部分に設置され、液体流路１１を流れる液体Ｑ中の気泡Ｂを捕捉し得るフィルタ部材３とを備え、液体流路１１を流れる液体Ｑがフィルタ部材３を通過する際、液体Ｑ中に混入した気泡Ｂがフィルタ部材３で捕捉され集積されて、膜部材２を介して液体流路１１外に排出されるよう構成されている。【選択図】図３
2009213787.tif 000002
【特許請求の範囲】
【請求項１】
内部に液体が通過する流路を有する医療用チューブであって、
前記流路を画成する壁部の一部を構成し、気体は通過するが液体は通過しない膜部材と、
前記流路内の前記膜部材が位置する部分またはそれよりも下流側近傍に設置され、前記流路を流れる液体中の気泡を捕捉し得るフィルタ部材とを備え、
前記流路を流れる液体が前記フィルタ部材を通過する際、当該液体中に混入した気泡が前記フィルタ部材で捕捉され集積されて、前記膜部材を介して前記流路外に排出されるよう構成されていることを特徴とする医療用チューブ。
【請求項２】
前記膜部材は、全体形状として管状をなしている請求項１に記載の医療用チューブ。
【請求項３】
前記膜部材は、疎水性を有する材料で構成されたもの、または、疎水化処理が施されたものである請求項１または２に記載の医療用チューブ。
【請求項４】
前記膜部材には、その厚さ方向に貫通する多数の細孔が形成されており、これらの細孔の平均直径が２μｍ以下である請求項１ないし３のいずれかに記載の医療用チューブ。
【請求項５】
前記フィルタ部材は、前記流路の途中を封止するように設置されている請求項１ないし４のいずれかに記載の医療用チューブ。
【請求項６】
前記フィルタ部材は、３次元連通孔を有する多孔質体で構成されている請求項１ないし５のいずれかに記載の医療用チューブ。
【請求項７】
前記フィルタ部材は、その空孔率が７０〜９０％のものである請求項６に記載の医療用チューブ。
【請求項８】
前記フィルタ部材は、その空孔の平均直径が１〜２０μｍのものである請求項６または７に記載の医療用チューブ。
【請求項９】
内部に液体が通過する流路を有するチューブであって、
前記流路を画成する壁部の一部を構成し、気体は通過するが液体は通過しない膜部材と、
前記流路内の前記膜部材が位置する部分またはそれよりも下流側近傍に設置され、前記流路を流れる液体中の気泡を捕捉し得るフィルタ部材とを備え、
前記流路を流れる液体が前記フィルタ部材を通過する際、当該液体中に混入した気泡が前記フィルタ部材で捕捉され集積されて、前記膜部材を介して前記流路外に排出されるよう構成されていることを特徴とするチューブ。
【請求項１０】
請求項１ないし８のいずれかに記載の医療用チューブと、
前記医療用チューブの上流側に、気泡により液体を攪拌する攪拌装置を備えることを特徴とする医療装置。
【発明の詳細な説明】
【技術分野】
【０００１】
本発明は、医療用チューブ、チューブおよび医療装置に関する。
【背景技術】
【０００２】
従来、輸液、輸血、栄養投与等に用いる、液体を移送する医療用チューブが知られている（例えば、特許文献１参照）。特許文献１に記載の医療用チューブは、液体が通過する流路を有し、その流路を画成する壁部の一部が通気膜で構成されている。この通気膜は、液体に対して撥水性を有し、気体が通過可能なものである。また、医療用チューブは、減圧雰囲気下で使用されるものであり、内部を減圧可能なチャンバ（筐体）内に収納されている。
【０００３】
しかしながら、このような構成の医療用チューブでは、液体とともに医療用チューブの流路内に気泡が流入した際、チャンバ内が減圧状態となっていなければ、液中の気泡は、通気膜を介して排出（除去）されることなく、流路の当該通気膜が位置する部分を通過し、下流側へ流下してしまう。また、チャンバ内が減圧状態となっていたとしても、液体の流速が比較的大きい（所定値を超えた）場合、液中の気泡は、通気膜を介して排出されることなく、流路の当該通気膜が位置する部分を通過し、下流側へ流下してしまう。
【０００４】
【特許文献１】特開２００５−１３１０７９号公報
【発明の開示】
【発明が解決しようとする課題】
【０００５】
本発明の目的は、液体とともに医療用チューブの流路内に気泡が流入した際、その液体中の気泡を確実に除去することができる医療用チューブ、チューブおよび医療装置を提供することにある。
【課題を解決するための手段】
【０００６】
このような目的は、下記（１）〜（１０）の本発明により達成される。
（１）  内部に液体が通過する流路を有する医療用チューブであって、
前記流路を画成する壁部の一部を構成し、気体は通過するが液体は通過しない膜部材と、
前記流路内の前記膜部材が位置する部分またはそれよりも下流側近傍に設置され、前記流路を流れる液体中の気泡を捕捉し得るフィルタ部材とを備え、
前記流路を流れる液体が前記フィルタ部材を通過する際、当該液体中に混入した気泡が前記フィルタ部材で捕捉され集積されて、前記膜部材を介して前記流路外に排出されるよう構成されていることを特徴とする医療用チューブ。
【０００７】
（２）  前記膜部材は、全体形状として管状をなしている上記（１）に記載の医療用チューブ。
【０００８】
（３）  前記膜部材は、疎水性を有する材料で構成されたもの、または、疎水化処理が施されたものである上記（１）または（２）に記載の医療用チューブ。
【０００９】
（４）  前記膜部材には、その厚さ方向に貫通する多数の細孔が形成されており、これらの細孔の平均直径が２μｍ以下である上記（１）ないし（３）のいずれかに記載の医療用チューブ。
【００１０】
（５）  前記フィルタ部材は、前記流路の途中を封止するように設置されている上記（１）ないし（４）のいずれかに記載の医療用チューブ。
【００１１】
（６）  前記フィルタ部材は、３次元連通孔を有する多孔質体で構成されている上記（１）ないし（５）のいずれかに記載の医療用チューブ。
【００１２】
（７）  前記フィルタ部材は、その空孔率が７０〜９０％のものである上記（６）に記載の医療用チューブ。
【００１３】
（８）  前記フィルタ部材は、その空孔の平均直径が１〜２０μｍのものである上記（６）または（７）に記載の医療用チューブ。
【００１４】
（９）  内部に液体が通過する流路を有するチューブであって、
前記流路を画成する壁部の一部を構成し、気体は通過するが液体は通過しない膜部材と、
前記流路内の前記膜部材が位置する部分またはそれよりも下流側近傍に設置され、前記流路を流れる液体中の気泡を捕捉し得るフィルタ部材とを備え、
前記流路を流れる液体が前記フィルタ部材を通過する際、当該液体中に混入した気泡が前記フィルタ部材で捕捉され集積されて、前記膜部材を介して前記流路外に排出されるよう構成されていることを特徴とするチューブ。
【００１５】
（１０）  上記（１）ないし（８）のいずれかに記載の医療用チューブと、
前記医療用チューブの上流側に、気泡により液体を攪拌する攪拌装置を備えることを特徴とする医療装置。
【００１６】
また、前記フィルタ部材は、前記膜部材の長手方向の中央部に位置しているのが好ましい。
【００１７】
前記フィルタ部材は、その形状が板状をなし、厚さ方向が当該医療用チューブの長手方向とほぼ平行となるように配置されているのが好ましい。
【００１８】
前記フィルタ部材は、その形状が板状をなし、厚さ方向が当該医療用チューブの長手方向に対して傾斜して配置されているのが好ましい。
【００１９】
前記フィルタ部材は、樹脂材料で構成されているのが好ましい。
当該医療用チューブの内径は、１〜５ｍｍであるのが好ましい。
【００２０】
医療装置は、本発明の医療用チューブと、
前記医療用チューブの上流側に連通し、液組成が異なる２種類の液体が合流する合流部と、気体を供給する供給源に接続され、該供給源から供給された気体が通過するガス流路とを有し、前記合流部に前記ガス流路を通過した気体が流入する通気部が設けられ、該通気部を介して流入した気体によって前記合流部内の前記２種類の液体を攪拌する攪拌装置とを備えるのが好ましい。
【００２１】
前記通気部は、前記膜部材が上流側に向かって延長したものであるのが好ましい。
前記通気部は、前記合流部の壁部を貫通する貫通孔で構成されているのが好ましい。
【発明の効果】
【００２２】
本発明によれば、液体とともに医療用チューブ（チューブ）の流路内に気泡が流入した際、その液体中の気泡は、フィルタ部材に到達すると、まず当該フィルタ部材で捕捉される。そして、フィルタ部材で捕捉された気泡は、集積される。この集積された気泡は、水圧によって、膜部材を介して排出される（押し出される）。これにより、液体中の気泡を流路から確実に除去することができる。
【００２３】
なお、液体中の気泡には、例えば、不可避的に液体中に混入した気泡でもよいし、液体の攪拌等の目的で当該液体中に供給されたものがあり、本発明によれば、このような気泡を流路から確実に除去することができる。
【発明を実施するための最良の形態】
【００２４】
以下、本発明の医療用チューブ、チューブおよび医療装置を添付図面に示す好適な実施形態に基づいて詳細に説明する。
【００２５】
＜第１実施形態＞
図１〜図４は、それぞれ、本発明の医療用チューブの実施形態（第１実施形態）を示す縦断面図（気泡が除去される過程を示す図）である。なお、以下では、説明の都合上、図１〜図４中（図５〜図１０も同様）の右側を「基端」または「上流」、下側を「先端」または「下流」と言う。
【００２６】
図１〜図４に示す医療用チューブ（以下単に「チューブ」と言う）１は、例えば、輸液、輸血、栄養投与、体外循環等に用いられるものである。このチューブ１は、内部に横断面形状が円形の液体流路（内腔）１１を有している。液体流路１１は、無菌状態の液体Ｑが通過する液体流路として機能する。液体流路１１を通過する液体としては、特に限定されず、例えば、チューブ１を輸液に用いる場合には、脂肪乳剤、治療薬、抗生剤等のような輸液、チューブ１を栄養投与に用いる場合には、半消化態栄養剤、消化態栄養剤、成分栄養剤（ＥＤ）、流動食、ミキサー食等のような栄養剤、チューブ１を輸血または体外循環に用いる場合には、血液、生理食塩水等が挙げられる。
【００２７】
また、チューブ１は、可撓性を有し、後述する膜部材２およびフィルタ部材３を除く部分（チューブ本体）が、例えば、軟質ポリ塩化ビニル、エチレン−酢酸ビニル共重合体、ポリブタジエン等、あるいはこれらを主とする材料で構成されている。
【００２８】
チューブ１は、それを用いる際に、例えば、上流側でポンプ（図示せず）に接続される。このポンプの作動により、液体Ｑを上流側から下流側へ確実に移送することができる。また、ポンプの作動状態（回転作用）によっては、当該ポンプ内で気泡Ｂが発生する場合がある。チューブ１は、その途中に、気泡Ｂを除去する気泡除去部４を有している。気泡除去部４は、液体流路１１を画成する壁部（管壁）の一部を構成する膜部材２と、液体流路１１内の膜部材２が位置する部分に当該液体流路１１を封止する（塞ぐ）ように設置されたフィルタ部材３とで構成されている。以下、各部の構成について説明する。
【００２９】
フィルタ部材３は、液体Ｑは通過するが気体（気泡Ｂ）は通過しない部材であり、図２、図３に示すように、液体Ｑ中の気泡Ｂを捕捉するものである。
【００３０】
このフィルタ部材３は、多孔質体で構成されている、すなわち、３次元連通孔（図示せず）を有するものである。これにより、液体Ｑがフィルタ部材３を通過するときに、当該液体Ｑは、フィルタ部材３における前記３次元連通孔を通過して下流側へ流れるが、液体Ｑ中の気泡Ｂは、３次元連通孔を通過しきれず、フィルタ部材３で捕捉される。ここで、「３次元連通孔」とは、微細な細孔で構成され、これらが相互に連通している状態のものを意味する。このようなフィルタ部材３としては、例えば、テルモ社製「イムガードＩＩＩ−ＰＬ」を用いることができる。
【００３１】
なお、フィルタ部材３の空孔率は、特に限定されないが、例えば、７０〜９０％であるのが好ましく、８０〜９０％であるのがより好ましい。また、フィルタ部材３の空孔の平均直径（孔径）は、特に限定されないが、例えば、１〜２０μｍであるのが好ましく、２〜１０μｍであるのがより好ましい。このような数値範囲により、前述したような気泡Ｂを捕捉する気泡捕捉性が顕著に発揮される。
【００３２】
このようなフィルタ部材３は、その形状が円板状をなし、直径がチューブ１の直径φｄよりも若干大きいものである。このフィルタ部材３は、その中心軸（厚さ方向）がチューブ１の軸方向（長手方向）とほぼ平行となるように配置されている。これにより、液体Ｑが上流側から下流側に向かって流下する際、当該液体Ｑがフィルタ部材３を確実に通過する。よって、よって、フィルタ部材３を通過する液体Ｑ中に気泡Ｂが存在する場合、その気泡Ｂを確実に捕捉することができる。
【００３３】
なお、フィルタ部材３の構成材料としては、特に限定されず、例えば、ポリウレタン、スチレン−ブタジエンラバー、ポリビニルアルコール、ポリプロピレン、ポリエーテルポリアミド、その他各種高分子材料（樹脂材料）が挙げられる。これにより、多孔質体で構成されたフィルタ部材３を確実に製造することができる。また、多孔質樹脂材料（樹脂性多孔質材料）を用いることにより、チューブ１が屈曲または湾曲変形した際に、その変形にフィルタ部材３が追従することができると言う利点がある。
【００３４】
フィルタ部材３の外周側には、膜部材２が設置されている。この膜部材２は、気体（気泡Ｂ）は通過するが液体Ｑは通過しない通気膜であり、図３に示すように、フィルタ部材３で捕捉された気泡Ｂを外部へ排出するものである。
【００３５】
膜部材２は、液体Ｑに対して撥水性（不透過性）、すなわち、疎水性を有している。これにより、膜部材２を介して液体Ｑが外部へ流出するのが確実に防止される。このような膜部材２は、疎水性を有する材料で構成されたもの、または、その表面が疎水化処理が施されたものである。疎水性を有する材料（構成材料）としては、例えば、ポリテトラフルオロエチレン（ＰＴＦＥ）、テトラフルオロエチレンとヘキサフルオロプロピレンの共重合体（ＦＥＰ）、テトラフルオロエチレンとパーフルオロアルキルビニルエーテルの共重合体（ＰＦＡ）、ポリクロロトリフルオロエチレン（ＰＣＴＦＥ）、ポリフッ化ビニリデン（ＰＶＤＦ）、エチレンとテトラフルオロエチレンの共重合体（ＥＴＦＥ）、エチレンとクロロトリフルオロエチレンの共重合体（ＥＣＴＦＥ）、ポリプロピレン（ＰＰ）等が挙げられる。膜部材２は、これらの材料を、延伸法、ミクロ相分離法、電子線エッチング法、焼結法、アルゴンプラズマ粒子等の方法で多孔質としたものが好適に用いられる。また、疎水化処理の方法としては、特に限定されず、例えば、膜部材２の表面に、前記疎水性を有する材料をコーティングする方法等が挙げられる。膜部材２がこのような構成となっていることにより、膜部材２からは、液体Ｑが流出するのが確実に防止され、気泡Ｂが確実に（優先的に）排出される。
【００３６】
また、膜部材２には、多数の細孔（図示せず）が形成されている。各細孔は、それぞれ膜部材２をその厚さ方向に貫通するものである。これらの細孔の平均孔径は、特に限定されないが、例えば、２μｍ以下が好ましい。このような細孔を有する膜部材２としては、例えば、住友電工ファインポリマー社製「ポアフロンチューブ（ＴＢ−０４０３）」が挙げられる。これは、平均孔径が約１μｍの膜部材２である。
【００３７】
また、孔径を０．０１〜０．４５μｍとすることにより、膜部材２が菌不透過性を有することになる。膜部材２が菌不透過性を有することにより、仮に膜部材２を介して空気がチューブ１内に流入したとしても、膜部材２で空気内の菌類が除去され、当該菌類がチューブ１内に流入するのが確実に防止される。これにより、液体Ｑの無菌状態を維持することができる。
【００３８】
また、膜部材２の膜厚（壁圧）は、特に限定されず、例えば、０．２〜２ｍｍであるのが好ましく、０．４〜１ｍｍであるのがより好ましい。
【００３９】
図１（図２〜図４も同様）に示すように、膜部材２は、全体形状として管状をなしている。これにより、フィルタ部材３で捕捉された気泡Ｂは、膜部材２を介して、その周方向のいずれの部分からも排出される（流出する）。よって、気泡Ｂの残留を確実に防止することができる。
【００４０】
膜部材２の内周面２２には、その周方向に沿ってリング状の凹部２１が形成されている。この凹部２１に、フィルタ部材３の縁部（外周部）３１が嵌合している。これにより、フィルタ部材３が液流によって膜部材２から離脱するのが防止される。
【００４１】
また、このフィルタ部材３は、膜部材２の長手方向の中央部に位置している。これにより、図示とは逆方向に液体Ｑが流れた場合にも、チューブ１をそのまま（図示の状態のまま）用いることができる。すなわち、液体Ｑは、図示の構成では図中右側から左側に向かって流れているが、例えば、液体Ｑが図中左側から右側に向かって流れて、当該液体Ｑ中に気泡Ｂが存在している場合でも、この気泡Ｂをフィルタ部材３で捕捉し、膜部材２から排出することができる。
【００４２】
要は、フィルタ部材３で捕捉された気泡Ｂを除去するために、フィルタ部材３より少なくとも上流側に膜部材２が存在しなければならない。
【００４３】
なお、フィルタ部材３は、前述したように膜部材２の長手方向の中央部に位置しているが、これに限定されず、例えば、膜部材２の先端部または基端部に位置していてもよい。
【００４４】
次に、液体Ｑ中の気泡Ｂが当該液体Ｑ中から除去されるまでの過程について図１〜図４を参照しつつ、説明する。
図１に示す状態では、液体Ｑとともに多数の気泡Ｂが上流側から流れてきている。
【００４５】
そして、これらの気泡Ｂは、フィルタ部材３に到達すると、前述したように、当該フィルタ部材３で一旦捕捉される（図２参照）。このフィルタ部材３に捕捉された気泡Ｂは、集積される、すなわち、所定量溜まるまではチューブ１（気泡除去部４）内に留まろうとし、膜部材２を通過しない。また、液体Ｑは、膜部材２の内周面２２に沿って（接しながら）、フィルタ部材３を通過する。
【００４６】
フィルタ部材３で捕捉された気泡Ｂの量が所定量溜まると、その気泡Ｂがチューブ１内に留まろうとする力を水圧が上回り、当該水圧によって気泡Ｂが押し出される、すなわち、膜部材２を介して排出される（図３参照）。これにより、液体Ｑ中の気泡Ｂが確実に除去される（図４参照）。
【００４７】
なお、チューブ１の内径φｄは、１〜５ｍｍであるのが好ましく、３〜４ｍｍであるのがより好ましい。これにより、前述したような気泡Ｂが除去される現象（過程）がより確実に生じる。
【００４８】
＜第２実施形態＞
図５および図６は、それぞれ、本発明の医療用チューブの実施形態（第２実施形態）を示す縦断面図（気泡が除去される過程を示す図）である。
【００４９】
以下、これらの図を参照して本発明の医療用チューブの実施形態について説明するが、前述した実施形態との相違点を中心に説明し、同様の事項はその説明を省略する。
【００５０】
本実施形態は、フィルタ部材の姿勢（設置状態）が異なること以外は前記第１実施形態と同様である。
【００５１】
図５、図６に示すチューブ１Ａでは、フィルタ部材３は、その中心軸がチューブ１の軸方向に対して傾斜して配置されている。これにより、液体流路１１の一部に、フィルタ部材３の上流側の面３２と膜部材２の内周面２２とに囲まれた、縦断面形状がくさび状をなす部分が形成される。このくさび状をなす部分は、気泡Ｂが一時的に溜まる気泡だまり１２として機能する。フィルタ部材３に達した気泡Ｂは、フィルタ部材３の面３２に沿って、気泡だまり１２の先端１２１に向かって移動して、気泡だまり１２に集められる。これにより、捕捉された気泡Ｂが液流の妨げとなるのを防止することができ、よって、液体Ｑの円滑に流れる。また、気泡だまり１２内の気泡Ｂは、前述したように膜部材２を介して排出される（図６参照）。
【００５２】
＜第３実施形態＞
図７は、本発明の医療用チューブの実施形態（第３実施形態）を示す縦断面図、図８は、フィルタ部材の他の構成例を示す図である。
【００５３】
以下、これらの図を参照して本発明の医療用チューブの実施形態について説明するが、前述した実施形態との相違点を中心に説明し、同様の事項はその説明を省略する。
本実施形態は、膜部材の形状が異なること以外は前記第１実施形態と同様である。
【００５４】
図７に示すチューブ１Ｂでは、フィルタ部材３Ｂが膜部材２の先端部に位置している。このフィルタ部材３Ｂの上流側（基端側）の面３２には、その中央部が山状に隆起した（突出した）隆起部３２１が形成されている。フィルタ部材３Ｂに達した気泡Ｂは、隆起部３２１の裾３２２、すなわち、膜部材２側に集められる。これにより、捕捉された気泡Ｂが液流の妨げとなるのを防止することができ、よって、液体Ｑの円滑に流れる。また、集められた気泡Ｂは、前述したように膜部材２を介して排出される。
【００５５】
また、図８に示すチューブ１Ｂ’では、フィルタ部材３Ｂ’が膜部材２の中央部に位置している。このフィルタ部材３Ｂ’の下流側（基端側）の面３３には、面３２と同様に、その中央部が山状に隆起した（突出した）隆起部３３１が形成されている。これにより、図示とは逆方向に液体Ｑが流れた場合にも、チューブ１Ｂ’をそのまま（図示の状態のまま）用いることができる。すなわち、液体Ｑは、図示の構成では図中右側から左側に向かって流れているが、例えば、液体Ｑが図中左側から右側に向かって流れて、当該液体Ｑ中に気泡Ｂが存在している場合でも、チューブ１Ｂと同様に、この気泡Ｂを隆起部３３１の裾３２２、すなわち、膜部材２側に集めることができる。これにより、円滑な液体Ｑの流れを確保することができる。また、前記集められた気泡Ｂは、膜部材２を介して排出される。
【００５６】
＜第４実施形態＞
図９は、本発明の医療装置の実施形態（第１実施形態）を示す縦断面図である。
以下、この図を参照して本発明の医療用チューブ、チューブおよび医療装置の実施形態について説明するが、前述した実施形態との相違点を中心に説明し、同様の事項はその説明を省略する。
【００５７】
図９に示す医療装置１０は、チューブ１と、攪拌装置５とを備えている。チューブ１については、前記第１実施形態のチューブ１とほぼ同様であるので、ここではその説明を省略する。
【００５８】
攪拌装置５は、チューブ１の上流側に連通する合流部（合流チューブ）５１と、合流部に液組成が異なる２種類の液体Ｑ１、Ｑ２をそれぞれ供給する供給チューブ５２１、５２２と、ガス（気体）Ｇが通過するガスチューブ（ガス流路）５３と、ガスチューブ５３に連通するガス室５４とを有している。
【００５９】
供給チューブ５２１は、液体Ｑ１が通過するチューブであり、供給チューブ５２２は、液体Ｑ２が通過するチューブでる。供給チューブ５２１は、その上流側で例えば液体Ｑ１が予め収納された収納容器（図示せず）に接続されている。この収納容器からの液体Ｑ１が供給チューブ５２１を介して合流部５１内に流入する。また、供給チューブ５２２は、その上流側で例えば液体Ｑ２が予め収納された収納容器（図示せず）に接続されている。この収納容器からの液体Ｑ２が供給チューブ５２２を介して合流部５１内に流入する。
【００６０】
供給チューブ５２１、５２２は、その下流側で合流部５１に接続されて（連通して）いる。この合流部５１は、液体Ｑ１と液体Ｑ２とが合流する部位である。合流部５１で合流した液体Ｑ１と液体Ｑ２との混合液Ｑ３は、チューブ１に流入する。
【００６１】
また、合流部５１には、その先端部（下流側の部分）に、ガスチューブ５３を通過したガスＧが流入する通気部５１１が設けられている。通気部５１１は、膜部材２が上流側に向かって延長したものである。この通気部５１１を介して合流部５１内にガスＧが流入し、混合液Ｑ３中に気泡Ｂが発生する。この気泡Ｂにより、液体Ｑ１と液体Ｑ２とが攪拌され、よって、これらの液体Ｑ１、Ｑ２同士が均一に混合した混合液Ｑ３が得られる。
【００６２】
ガスチューブ５３は、その下流側がガスＧを供給する供給源２０に接続されている。供給源２０から供給されたガスＧは、ガスチューブ５３を通過する。そして、ガスチューブ５３を通過したガスＧは、ガス室５４内に流入する。なお、供給源２０としては、特に限定されず、例えば、内部空間に高圧の（圧縮された）ガスＧが充填されたボンベが挙げられる。また、ガスＧとしては、特に限定されないが、例えば、二酸化炭素が挙げられる。また、ガスＧは、無菌状態のものであるのが好ましいが、無菌状態か否かについてはどちらでもよい。
【００６３】
ガス室５４は、箱状をなす部位であり、合流部５１の通気部５１１を収納している。これにより、通気部５１１を介して、ガスＧが合流部５１内に確実に流入する。
【００６４】
医療装置１０では、前述したように、攪拌装置５によって液体Ｑ１と液体Ｑ２とが攪拌され、これにより生成された混合液Ｑ３が得られる。
【００６５】
さて、液体Ｑ１と液体Ｑ２とを攪拌するのに供された気泡Ｂは、攪拌後には不要となる。この不要となった気泡Ｂは、前述したようにチューブ１の気泡除去部４によって、混合液Ｑ３から除去される。
【００６６】
なお、合流部５１、供給チューブ５２１、５２２、ガスチューブ５３をそれぞれ構成するチューブは、例えば、軟質ポリ塩化ビニル、エチレン−酢酸ビニル共重合体、ポリブタジエン等、あるいはこれらを主とする材料で構成されている。
【００６７】
また、液体Ｑ１、Ｑ２としては、それぞれ、例えば、液体Ｑ１が薬液（例えば高濃度ブドウ糖液）である場合、液体Ｑ２を薬液を希釈する希釈液（例えば生理食塩水）とすることができる。
【００６８】
＜第５実施形態＞
図１０は、本発明の医療装置の実施形態（第２実施形態）を示す縦断面図である。
以下、この図を参照して本発明の医療用チューブ、チューブおよび医療装置の実施形態について説明するが、前述した実施形態との相違点を中心に説明し、同様の事項はその説明を省略する。
本実施形態は、通気部の構成が異なること以外は前記第４実施形態と同様である。
【００６９】
図１０に示す医療装置１０Ａでは、合流部５１の途中に、その壁部を貫通する複数の貫通孔５１２が形成されている。各貫通孔５１２は、それぞれ、ガス室５４内に開口している。この各貫通孔５１２を介して、ガスＧが合流部５１内に流入する。このように、各貫通孔５１２は、それぞれ、ガスＧが合流部５１内に流入するのに用いられる通気部として機能している。なお、各貫通孔５１２の直径としては、特に限定されず、例えば、０．１〜１ｍｍであるのが好ましく、０．３〜０．７ｍｍであるのがより好ましい。
【００７０】
このような構成の医療装置１０Ａでは、前述したように、攪拌装置５によって液体Ｑ１と液体Ｑ２とが攪拌され、これにより生成された混合液Ｑ３が得られる。また、液体Ｑ１と液体Ｑ２とを攪拌するのに供され、不要となった気泡Ｂは、前述したようにチューブ１の気泡除去部４によって、混合液Ｑ３から除去される。
【００７１】
また、ガスチューブ５３の途中には、無菌フィルタ５５が設置されているのが好ましい。これにより、たとえ供給源２０からのガスＧが無菌状態のものでなかったとしても、そのガスＧを無菌状態のものとすることができる。
【００７２】
以上、本発明の医療用チューブおよび医療装置を図示の実施形態について説明したが、本発明は、これに限定されるものではなく、医療用チューブおよび医療装置を構成する各部は、同様の機能を発揮し得る任意の構成のものと置換することができる。また、任意の構成物が付加されていてもよい。
【００７３】
また、本発明の医療用チューブ、チューブおよび医療装置は、前記各実施形態のうちの、任意の２以上の構成（特徴）を組み合わせたものであってもよい。
【００７４】
例えば、前記第４および第５実施形態において、医療装置が有する医療用チューブは、前記第１実施形態の医療用チューブであるが、これに限定されず、例えば、前記第２または第３実施形態の医療用チューブであってもよい。
【００７５】
また、フィルタ部材は、各実施形態では医療用チューブの内腔内の膜部材が位置する部分（膜部材の内側）に設置されているが、これに限定されず、例えば、当該部分よりも下流側近傍に設置されていてもよい。
【００７６】
また、本発明の医療用チューブは、医療の他に、例えば、半導体製造分野での洗浄用水の流路等として用いることができる。
【実施例】
【００７７】
次に、本発明の医療用チューブの具体的実施例について説明する。
１．医療用チューブの作製
（実施例）
図１に示す医療用チューブを作製した。なお、医療用チューブの仕様は、下記に示すとおりである。
・医療用チューブの長さ                    ：５００ｍｍ
・医療用チューブの内径                    ：３ｍｍ
・医療用チューブの外径                    ：４ｍｍ
・チューブ本体の構成材料                  ：軟質ポリ塩化ビニル
・膜部材                                  ：住友電工ファインポリマー社製「ポアフロンチューブ（ＴＢ−０４０３）」
・膜部材の長さ                            ：１０ｍｍ
・膜部材の厚さ                            ：０．５ｍｍ
・フィルタ部材                            ：テルモ社製「イムガードＩＩＩ−ＰＬ」
・フィルタ部材の直径                      ：３．３ｍｍ
・フィルタ部材の厚さ                      ：１ｍｍ
【００７８】
（比較例１）
フィルタ部材を省略した以外は、前記実施例と同様の医療用チューブを作製した。
【００７９】
（比較例２）
膜部材を省略した以外は、前記実施例と同様の医療用チューブを作製した。
【００８０】
２．評価
実施例および各比較例で作製した医療用チューブの上流側に、それぞれ、輸液ポンプを接続して、常温下で生理食塩水を流した。なお、生理食塩水の流速は、３００ｍＬ／秒であった。また、生理食塩水を流した時間は、１０秒間であった。
【００８１】
生理食塩水を流した後、実施例および各比較例で作製した医療用チューブについて、気泡の除去状態を目視にて確認した。
【００８２】
その結果、実施例の医療用チューブでは、気泡がほとんど残っておらず、当該医療用チューブから除去されていた。
【００８３】
これに対し、比較例１の場合、気泡は、そのまま下流側に流れた。また、比較例２の場合、気泡は、一旦フィルタ部材に捕獲（捕捉）されるが、やがてフィルタ部材を通過して下流側に流れた。
【００８４】
また、図５、図７に示す医療用チューブを作製し、各医療用チューブに対して同様の評価を行った。各医療用チューブについては、それぞれ、実施例の医療用チューブと同様の結果が得られた。
【図面の簡単な説明】
【００８５】
【図１】本発明の医療用チューブの実施形態（第１実施形態）を示す縦断面図（気泡が除去される過程を示す図）である。
【図２】本発明の医療用チューブの実施形態（第１実施形態）を示す縦断面図（気泡が除去される過程を示す図）である。
【図３】本発明の医療用チューブの実施形態（第１実施形態）を示す縦断面図（気泡が除去される過程を示す図）である。
【図４】本発明の医療用チューブの実施形態（第１実施形態）を示す縦断面図（気泡が除去される過程を示す図）である。
【図５】本発明の医療用チューブの実施形態（第２実施形態）を示す縦断面図（気泡が除去される過程を示す図）である。
【図６】本発明の医療用チューブの実施形態（第２実施形態）を示す縦断面図（気泡が除去される過程を示す図）である。
【図７】本発明の医療用チューブの実施形態（第３実施形態）を示す縦断面図である。
【図８】フィルタ部材の他の構成例を示す図である。
【図９】本発明の医療装置の実施形態（第１実施形態）を示す縦断面図である。
【図１０】本発明の医療装置の実施形態（第２実施形態）を示す縦断面図である。
【符号の説明】
【００８６】
１、１Ａ、１Ｂ、１Ｂ’  医療用チューブ（チューブ）
１１          液体流路（内腔）
１２          気泡だまり
１２１        先端
２            膜部材
２１          凹部
２２          内周面
２３          中間部
３、３Ｂ、３Ｂ’  フィルタ部材
３１          縁部（外周部）
３２          面
３２１        隆起部
３２２        裾
３３          面
３３１        隆起部
４            気泡除去部
５            攪拌装置
５１          合流部（合流チューブ）
５１１        通気部
５１２        貫通孔
５２１、５２２  供給チューブ
５３          ガスチューブ（ガス流路）
５４          ガス室
５５          無菌フィルタ
１０、１０Ａ  医療装置
２０          供給源
Ｂ            気泡
Ｑ、Ｑ１、Ｑ２  液体
Ｑ３          混合液
φｄ          直径
【図１】
2009213787.tif 000003
【図２】
2009213787.tif 000004
【図３】
2009213787.tif 000005
【図４】
2009213787.tif 000006
【図５】
2009213787.tif 000007
【図６】
2009213787.tif 000008
【図７】
2009213787.tif 000009
【図８】
2009213787.tif 000010
【図９】
2009213787.tif 000011
【図１０】
2009213787.tif 000012